(57)【要約】【課題】もともと力率が良くない電子装置が良好な力率を有するようにする補償方法と、既存の設置済みの力率の悪い電子装置の力率を改善する補償方法を提供する。【解決手段】電源に接続した既に使用されている非線形負荷である電子装置の力率を改善する補償方法であって、補償器を起動して既に使用されている電子装置と接続した電源が伝送する電源電圧を受信するステップと、供給電圧持続作用過程において、補償器中の負荷を一定時間停止するステップを含む。前記負荷の停止時間は、電源電流波形全体（既に使用されている電子装置と補償器の負荷電流の合成）と電源電圧波形が一致する時間に対応する。【選択図】図２
2011188737.tif 000002
【特許請求の範囲】
【請求項１】
力率補償方法であり、電源に接続した既に使用されている電子装置の力率を補償するものであり、前記既に使用されている電子装置は非線形負荷であり、
前記力率補償方法は、
補償器が前記電源からの電源電圧を受信するようにし、前記電源は前記既に使用されている電子装置に接続するステップと、
前記供給電圧持続作用過程において、前記補償器の負荷を一定時間停止し、前記一定時間は前記電源電圧波形の一区域に対応し、前記区域は前記供給電圧波形のピーク値に対応するものであるステップと、
を含むことを特徴とする力率補償方法。
【請求項２】
前記供給電圧持続作用過程において、前記補償器の負荷を一定時間停止するステップはまた、
第一クロック信号を前記電源電圧の周波数に同期するステップと、
第一クロック信号を倍にして周波数が前記電源電圧周波数よりも高い第二クロック信号へと調整し、前記第二クロック信号は前記電源電圧に位相同期するステップと、
前記二クロック信号中において一定時間を選択して前記補償器の負荷を停止するステップと、
を含むことを特徴とする、請求項１に記載の力率補償方法。
【請求項３】
前記補償器は位相同期回路を使用して前記第一クロック信号を前記電源電圧に同期するとともに、ゼロ交差技術（ｚｅｒｏ  ｃｒｏｓｓｉｎｇ  ｔｅｃｈｎｉｑｕｅ）を利用して電源電圧のゼロ地点を検出して基準値とすることを特徴とする、請求項２に記載の力率補償方法。
【請求項４】
前記補償器は周波数倍増技術を利用して前記周波数が前記電源電圧周波数よりも高い第二クロック信号を生成し、且つ前記電源電圧波形に位相同期することを特徴とする、請求項２に記載の力率補償方法。
【請求項５】
前記補償器はデューティサイクルセレクタを使用して前記第二クロック信号から前記負荷を停止する時間を選択することを特徴とする、請求項２に記載の力率補償方法。
【請求項６】
前記非線形負荷は照明器具であることを特徴とする、請求項１に記載の力率補償方法。
【請求項７】
前記非線形負荷は前記電子装置の待機負荷であることを特徴とする、請求項１に記載の力率補償方法。
【請求項８】
前記補償器の負荷は照明器具であることを特徴とする、請求項１に記載の力率補償方法。
【請求項９】
前記補償器の負荷は電池充電器であることを特徴とする、請求項１に記載の力率補償方法。
【請求項１０】
前記補償器は前記負荷をスタート・停止することで前記電源電圧から得た電流の周波数を低下させることによって、前記電源電圧に相対するスムーズフィルタの電流波形を提供することを特徴とする、請求項１に記載の力率補償方法。
【発明の詳細な説明】
【技術分野】
【０００１】
本発明は力率補償方法に関するものであって、特に電力会社の観点から、配電網領域において（例えば家、オフィス、ビル、工場等）その他低力率電子装置の補償及び改善を行う方法に関するものである。
【背景技術】
【０００２】
力率（ｐｏｗｅｒ  ｆａｃｔｏｒ）は、電気的或いは電子負荷コンポーネントが理想の抵抗状態に達しているかを示すのに用いる方式であり、電力提供者（例えば電力会社）の観点から考慮すれば、負荷の力率が“１.０”であるとき、前記負荷は理想的な抵抗であると見なすことができる。言い換えれば、力率が１.０の負荷に電源供給したとき、電流と電圧の位相は一致の状態に達する。実務上、電子負荷の多くは力率を１.０以下に下げられる無効分（ｒｅａｃｔｉｖｅ  ｃｏｍｐｏｎｅｎｔ）（例えば、インダクタンス分（ｉｎｄｕｃｔｉｖｅ）或いはキャパシタンス分（ｃａｐａｃｉｔｉｖｅ））を有し、これらの無効分は電源電流が負荷に流れるよう誘導し、或いは電源電圧が負荷に流入するのを遅らせる。無効分以外にも、多くの電子性負荷は電源電流調和度を高める非線形コンポーネントを具えている。
【０００３】
負荷の力率が１.０のとき、電力会社から電子負荷に供給された電力は最も有効利用される。しかし実際は、全ての負荷力率は１.０より小さく、もし無効分の電流が完全に負荷中で消散できない場合は、電力会社が提供した負荷に伝送される電源電流の出力に無駄が生じる状況が悪化し、このような問題は電力会社にとって深刻である。なぜならこれは、電力会社が送電システム中に更に多くの無効分（通常はキャパシタンス分）を増設し、それらの力率の悪い負荷（通常はインダクタンス分）を補償する必要があることを意味するからである。
もう１つの問題は、力率が１.０から０.５に低下したとき、電力会社は供給電力量を倍増する必要がある点である。なぜなら高力率の配電網は、電力会社が必要な発電量を低下させることができるためである。言い換えれば、配電網の力率がが高くなるほど、発電所建設のニーズは低くなるということになる。
【０００４】
図１Ａと図１Ｂが示すように、既存の多くの電子装置はその電源モジュール中にフルブリッジ整流器１０を設けている。このフルブリッジ整流器１０は交流電源１１から生成された交流電圧整流をインパルス直流電圧に整流するので、電圧が実際稼動する電源負荷１２に伝送される前に更に進んだ修正がなされ、ブリッジ整流器を備えた負荷（非線形負荷）は電源電圧波形と一致しない電源電流を生成し、この電源電流の波形は連続したスパイク（ｓｐｉｋｅ）１４のように見える。また保持キャパシティ（ｈｏｌｄｉｎｇ  ｃａｐａｃｉｔｙ）Ｃの電源電流波形１５は波のピークの両端に異なる電圧降下（ｖｏｌｔａｇｅ  ｄｒｏｐ）が生じるので、これらのスパイク１４は電源電圧波形１３において精確に対称にはならない。
【０００５】
多くの文献で回路中に能動的力率修正回路を増設して力率の改善に用いることが指摘されているが、これらの力率修正回路の大多数は、新設した電子装置上において、単独で優れた作用を発揮できるに過ぎず、その他既存の設置済みの力率が悪い電子装置の力率改善の効果を得ることはできない。
【発明の概要】
【発明が解決しようとする課題】
【０００６】
本発明の目的は、もともと力率が良くない電子装置が良好な力率を有するようにする補償方法を提供することである。
【０００７】
本発明のもう１つの目的は、既存の設置済みの力率の悪い電子装置の力率を改善する補償方法を提供することである。
【課題を解決するための手段】
【０００８】
実施例では、電源に接続して既に使用されている非線形負荷である電子装置の力率を改善する補償方法であって、補償器（ｃｏｍｐｅｎｓａｔｏｒ）を起動して既に使用されている電子装置と接続する電源が伝送する電源電圧を受信するステップと、供給電圧持続作用過程において、補償器中の負荷を一定時間停止するステップとを含む。
【０００９】
本実施例では、補償器の負荷を停止する時間は、電源電流波形全体（既に使用されている電子装置と補償器の負荷電流の合成）と電源電圧波形が一致する時間に対応する。
【００１０】
もう１つの実施例では、補償器の負荷を停止する時間は、電源電圧がピーク値に近い電圧値である期間に対応する。
【００１１】
電源に接続して既に使用されている電子装置の力率に関して言えば、前述した実施例の力率補償方法は、電子装置の電流波形と電源電圧とが一致しない状態において、総電流（ｏｖｅｒａｌｌ  ｃｕｒｒｅｎｔ）における補償区間を提供する。これによって電力会社にとって、既に使用されている電子装置の力率改善が可能になる。
【発明の効果】
【００１２】
世界中の電力会社が生成する供給電力の大部分は照明システムに供給（給電）されているので、本発明はその他の電子装置のせいで力率が悪くなった照明装置に対し力率の補償を行うことによって、世界の電力ネットワークの力率の改善を可能にする。
後述の実施例で説明する補償方法の下では、発電所の建設数を減らすことが可能であり、更には、温室効果ガスの排出量を削減し、その他エネルギー節約計画の投資コストも抑えることができる。
【００１３】
電力ネットワーク中の電子装置の総力率を有効に改善する以外にも、力率補償を行うことで、電源電流の波形を自ら調節して電源電圧の波形に完全に合わせられるようになる。力率修正の過程においては、余分な回路を使用する必要がなく、力率値を０.５から０.７へ変えられるといった効果を達成できる。このような作用効果は、補償器中では２倍の作用が発揮される。照明器具の高性能稼動が維持されコスト節約ができる状態では、同時に更に厳しい力率の要求を満たすことができる。
【００１４】
また、本発明の補償方法を利用した補償器は、負荷を流れる電流を調整して全体の電流波形を補償できる以外にも、負荷をスタート・停止することで電源電圧から得た電流の周波数を低下させることにより、電源電圧に相対するスムーズフィルタ（ｓｍｏｏｔｈ  ａｎｄ  ｍｉｍｉｃ）の電流波形を提供できる。
【００１５】
後述する実施例では、力率の悪い負荷は照明器具であるが、照明器具は現在既存のスパイク電流を生じさせる唯一の負荷要素ではない。もう１つの力率が悪い負荷（非線形負荷）は待機モード類にある電子装置も含む。この類の電子装置は例えば携帯電話専用の充電変圧器、或いは液晶ディスプレイ装置である。待機モードの下では、ドレイン電極全体の出力は低いが、電源電圧のピーク値が生成するスパイク電流は更に顕著である可能性がある。１つ或いは２つのこの類の負荷に言及するとき、力率が及ぼす影響はごく小さいものであるかもしれないが、オフィスビル中の千に登る負荷が全て待機モードであるとき、累積した力率の影響は極めて大きい無駄を生むことがある。本実施例では、補償器の負荷は別の力率補償機能を備えた電池充電器であってもよく、これらの力率が悪い負荷（待機モード類の負荷）でも良好な力率補償がなされる。
【図面の簡単な説明】
【００１６】
【図１Ａ】既に使用されているの電子装置がフルブリッジ整流器を含む回路構造図。
【図１Ｂ】図１Ａの回路構造が生成する電源電流と電源電圧の波形図。
【図２】力率補償方法の実施フローチャート。
【図３】図２に基づく実施後に生成される電源電流と電源電圧の波形図。
【図４】力率補償器と負荷間の応用モデルの説明。
【発明を実施するための形態】
【００１７】
以下に図面を参照しながら本発明について詳しく説明する。
【実施例】
【００１８】
図２は、実施例を説明する力率補償方法フローチャートである。本実施例の方法は、補償器が共用電源と接続した既に使用されている電子装置の力率を補償するもので、この電子装置は非線形装置であり、補償方法は以下のステップを含む。
ステップＳ２０：補償器が電源からの電源電圧を受信する。
ステップＳ２１：供給電圧持続作用過程において、補償器中の負荷を一定時間停止する。
【００１９】
ステップＳ２１は更に下記のステップを含む。
ステップＳ２１１：第一クロック信号を前記電源電圧の周波数に同期する。
ステップＳ２１２：第一クロック信号を倍にして（ｍｕｌｔｉｐｌｅ）周波数が電源電圧周波数よりも高い第二クロック信号へと調整し、第二クロック信号は電源電圧波形に位相同期（ｐｈａｓｅ  ｌｏｃｋｅｄ）する。
ステップＳ２１３：第二クロック信号中において一定時間を選択して補償器中の負荷を停止し、負荷を停止する時間は、電源電流波形全体（既に使用されている電子装置と補償器の負荷電流の合成）と電源電圧波形が一致する時間に対応する、或いは電源電圧がピーク値に近い電圧値である期間（既に使用されている電子装置がスパイクを生成する期間に相当）に対応する。
【００２０】
図３と図４を参照されたい。図３は、図２に基づく実施後生成される電源電流と電源電圧の波形図であり、図４は力率補償器と負荷間の応用モデルを説明するものである。
既に使用されている電子装置は、電流スパイク（ｃｕｒｒｅｎｔ  ｓｐｉｋｅ）を生成する非線形負荷（フルブリッジ整流器を応用する負荷によく見られる）を具えた照明器具に限定しない。
本実施例では、補償器４２は照明器具４１の電源電圧に同期し、補償器４２の負荷停止時間は、照明器具４１（非線形負荷）が電流スパイク３０を生成する時間に対応する。また、補償器４２中の負荷は発光コンポーネント（例えば、整合式発光ダイオード照明器具の類のその他照明器具）であってもよく、実施例中の電源４０は壁面コンセント（電器コンセント）である。
【００２１】
実施例では、補償器４２は位相同期回路（ｐｈａｓｅ−ｌｏｃｋｅｄ  ｌｏｏｐ，ＰＬＬ）を使用して第一クロック信号に電源電圧（通常は５０Ｈｚ或いは６０Ｈｚであり、例えば日本の商用電源は５０Ｈｚ或いは６０Ｈｚである）を同期し、ゼロ交差技術（ｚｅｒｏ  ｃｏｒｏｓｓｉｎｇ  ｔｅｃｈｎｉｑｕｅ）を利用して電源電圧のゼロ地点を検出して基準値とする。
この補償器４２はまた、周波数倍増技術（ｆｒｅｑｕｅｎｃｙ  ｍｕｌｔｉｐｌｉｃａｔｉｏｎ  ｔｅｃｈｎｉｑｕｅ）を利用して、周波数が電源電圧の周波数より高く電源電圧と位相同期（ｐｈａｓｅ  ｌｏｃｋｅｄ）する第二クロック信号を提供する。
第二クロック信号の設定完了後、補償器４２は第二クロック信号に基づいて生成された対応する制御信号を得る。例えば、デューティサイクルセレクタ（ｄｕｔｙ  ｃｙｃｌｅ  ｓｅｌｅｃｔｏｒ）は、第二クロック信号中で一定時間を選択して負荷（即ち補償器４２中の発光ダイオード照明器具）を停止する。このため、この一定時間内は、負荷中は電源電流がない。本実施例では、補償器４２中の負荷が停止する時間は、第二クロック信号から正確に計算して取得されたものであり、停止時間は電源電圧が最大値に達しそうな時に対応する。
【００２２】
図３は、前述の実施例の力率補償方法で生成された電流波形３２を利用して言えば、重ねたブリッジ整流器（非線形負荷）が生成する電流スパイクとインパルス直流電圧の波形１３であり、この電流波形３２は電力会社が提供する電源電圧の波形と相当合致し、実施例が力率改善の効果を有することを証明する。
【００２３】
また、近似する形態では、本願の一般的な技術を備えた者ならわかるが、負荷の停止時間を決定するのに用いる方法では、電源電圧の波形と設定した電圧の比較を行って制御信号の稼動時間を選択できる。しかし、このような状況下では、電源電圧が正常稼動範囲を超えたとき、制御信号が変わることがあり、停止時間を精確に選択できず、エラーが生じることがある。
【００２４】
本発明は前述の実施例をもって上記のように開示したが、これらの実施例は本発明を限定するものではない。本発明の精神から離れない範囲で加えた変更や潤色は全て、本発明の保護範囲に属するものとする。本発明の定める保護範囲は、本願に付する特許請求の範囲を参考にされたい。
【符号の説明】
【００２５】
１０  フルブリッジ整流器
１１  交流電源
１２  電源負荷
１３  電源電圧波形
１４  スパイク
１５  電源電流波形
３０  電流スパイク
３２  電流波形
４０  電源
４１  照明器具
４２  補償器
Ｓ２０  補償器が電源からの電源電圧を受信するようにする
Ｓ２１  供給電圧持続作用過程において、補償器中の負荷を一定時間停止する
Ｓ２１１  第一クロック信号を前記電源電圧の周波数に同期する
Ｓ２１２  第一クロック信号を倍にして周波数が電源電圧周波数よりも高くなる第二クロック信号へと調整し、第二クロック信号は電源電圧波形に位相同期（ｐｈａｓｅ  ｌｏｃｋｅｄ）する
Ｓ２１３  第二クロック信号中において一定時間を選択して補償器中の負荷を停止する
【図１Ａ】
2011188737.tif 000003
【図１Ｂ】
2011188737.tif 000004
【図２】
2011188737.tif 000005
【図３】
2011188737.tif 000006
【図４】
2011188737.tif 000007